【手続補正書】
【提出日】平成17年9月1日(2005.9.1)
【手続補正１】
【補正対象書類名】明細書
【補正対象項目名】全文
【補正方法】変更
【補正の内容】
【書類名】明細書
【発明の名称】  パチンコ機
【特許請求の範囲】
【請求項１】
外レールと内レールによって形成される遊技領域に遊技球の流下路を変更させる風車，障害釘及び、入賞口等の遊技部品を備えるパチンコ機において、
遊技球を受け入れる入球口と遊技球が放出される打上口を設けたケーシングと、前記入球口に連なる遊技球保持部と、前記遊技球保持部に保持される遊技球を検知するセンサーと、前記センサーの検知により作動し遊技球保持部に保持される遊技球を打上口に向かって打ち出すソレノイドとを備えた遊技球打上装置を前記内レール近傍位置に配設することを特徴とするパチンコ機。
【請求項２】
前記入球口がケーシングの遊技領域中央側に面した箇所に配設され、前記打上口がケーシング上端部に配設されるように構成したことを特徴とする請求項１記載のパチンコ機。
【請求項３】
前記入球口がケーシングの上端部に配設され、前記打上口がケーシングの遊技領域中央側に面した箇所でやや上方に向いた開口部として配設されることを特徴とする請求項１記載のパチンコ機。
【請求項４】
前記ケーシングが内レールに沿って設けられるサイドランプであることを特徴とする請求項１乃至３のいずれかに記載のパチンコ機。
【発明の詳細な説明】
【０００１】
【発明が属する技術分野】
本発明は、パチンコ機に関するものである。より詳しくは、遊技領域に配置され、遊技球を再び入賞可能な領域に打ち出す遊技球打上装置を配置したパチンコ機に関する。
【０００２】
【従来の技術】
まず最初に第１種パチンコ機（以下単にパチンコ機とも称する）１を例にしてパチンコ機１の構成を説明する。従来のパチンコ機１においては、図１に示すように、枠部（図示せず）に支持された遊技盤２の外延に外レール４が遊技盤下端中央部を始端とし、終端を遊技盤上部右端として配置され、そのわずか内側であって遊技盤２の外レール４の終端近傍の位置を始端とし、遊技盤左端上部を終端とする長さを有する内レール３が外レール４と同心円状に配置される。外レール４と内レール３に挟まれて遊技球の通過領域５が形成され、外レール４と内レール３に仕切られた遊技盤２の内部には遊技領域６が形成される。
【０００３】
遊技領域６の中央にはセンターケース７が設けられ、該センターケース７には特別図柄表示装置８及び普通図柄表示装置９が配置される。センターケース７の上部左右にはランプ付き風車１０、同中央部やや下方左右にはそれぞれ２個の風車１１が、同下部中央には第１種始動口（電動役物のことで以下単に始動口とも称する）１２が、始動口１２の左右には通過チャッカー（以下単にチャッカーとも称する）１３、更にその左右には入賞口１４が配置され、始動口１２、チャッカー１３、入賞口１４の下方には左右の端部に入賞口１７、中央部に大入賞口１６が一体となったアタッカー１５が配置される、アタッカー１５の下方には、外れ球（図示省略）を回収するアウト口１８が配置される。また、遊技領域６にはセンターケース７の中央部の左右且つ内レール３に接して、一対のサイドランプ１９が配置される。これら遊技部品の周りには多数の障害釘（以下単に釘とも称する）２０が所定の位置に打設されている。
【０００４】
図示しない発射装置から遊技球を打ち出すと、遊技球は前記内、外レール３、４により形成される通過領域５を経て遊技領域６の上方に至り、釘２０、ランプ付き風車１０及び風車１１に流路を変更されながら始動口１２、チャッカー１３、入賞口１４の周囲を落下する。落下する遊技球が始動口１２等に入いると所定数の賞球が払い出される。また、チャッカー１３を遊技球が通過すると普通図柄表示装置９の図柄が回転して予め定められた図柄になると大入賞口１６が開く。始動口１２に遊技球が入ると特別図柄表示装置８の図柄が回転して予め定められた図柄に揃うと、大入賞口１６が所定回数開口し、多数の賞球が払い出される大当たりや、大当たりが出易い期間を続け特別入賞等にゲームが発展することもある。従って、遊技者はチャッカー１３、入賞口１４、始動口１２の周囲を遊技球が落下すると、興趣をもってゲームを続けることができる。
【０００５】
しかし、発射時に遊技球に加わった弾発力の差や、遊技領域６内に配置されるランプ付き風車１０、風車１１や釘２０によって、入賞口１４、チャッカー１３や始動口１２の周りを落下することなく、遊技領域６内の最も外側を落下する遊技球もかなりの数になる。これらの遊技球は瞬時に遊技領域６の最下端部に配置されるアウト口１８から流出してしまうため、遊技者の興趣が著しく減退してしまう。また、近時は特別図柄表示装置８がより大きくなっており、サイドランプ１９とセンターケース７間が狭くなっている。この狭い間を落下する遊技球で、サイドランプ１９側に方向を変えて落下する遊技球について、遊技者が早い時期に始動口１２、チャッカー１３、入賞口１４のいずれにも入らないものと判断してしまうため、遊技球の落下を楽しむパチンコ機本来の楽しみがなくなり、ゲームが単純になっている。
【０００６】
【発明が解決しようとする課題】
本発明の課題は、発射装置より発射された遊技球が、入賞には全く関係のない遊技領域の両端部近傍を通過した場合であっても、この遊技球を再び遊技領域の上方に打ち上げて入賞の可能性を与えて、遊技者の興趣を増すことを課題としている。
【０００７】
【課題を解決するための手段】
上記課題を解決するため本発明の請求項１で採用した手段は、外レールと内レールによって形成される遊技領域に遊技球の流下路を変更させる風車，障害釘及び、入賞口等の遊技部品を備えるパチンコ機において、遊技球を受け入れる入球口と遊技球が放出される打上口を設けたケーシングと、前記入球口に連なる遊技球保持部と、前記遊技球保持部に保持される遊技球を検知するセンサーと、前記センサーの検知により作動し遊技球保持部に保持される遊技球を打上口に向かって打ち出すソレノイドとを備えた遊技球打上装置を前記内レール近傍位置に配設することを特徴とする。
【０００８】
請求項２記載の発明は、請求項１記載の発明において、前記入球口がケーシングの遊技領域中央側に面した箇所に配設され、前記打上口がケーシング上端部に配設されるように構成したことを特徴とする。
【０００９】
「入球口が、ケーシングの遊技領域中央側に面した箇所に配設され」とは、入球口が遊技領域に向いて配置され、遊技領域中央から遊技領域両端部方向に流れて落下する箇所に設けられることで、「打上口がケーシング上端部に配設され」とは、入球口から入った遊技球がケーシングの上端部から出て、その後内レールに沿って遊技領域上方に再び打ち上げられる位置に打上口を配置したことである。
【００１０】
請求項３記載の発明は、請求項１記載の発明において、前記入球口がケーシングの上端部に配設され、前記打上口がケーシングの遊技領域中央側に面した箇所でやや上方に向いた開口部として配設されることを特徴とする。
【００１１】
「入球口がケーシングの上端部に配設され」とは、内レール沿いに落下して入賞する可能性の少ない遊技球が入るようにケーシング上端部に入球口を設けることで、「打上口がケーシングの遊技領域中央側に面した箇所で、やや上方に向いた開口部」とは、ケーシングに入った遊技球が遊技領域の中央でやや上方に向かって再び打ち上げられる位置に打上口を配置したことである。
【００１２】
請求項４記載の発明は、請求項１乃至３のいずれかに記載の発明において、前記ケーシングが内レールに沿って設けられるサイドランプであることを特徴とする。
【００１３】
「ケーシングがサイドランプである」とはケーシングの背面壁が最も内レールに近くに配置される数々の位置のうちサイドランプの配置されている箇所に遊技球打上装置を設けるばかりでなく、サイドランプのケーシング内に入球口、打上口を設け、サイドランプのケーシング内に打上用のソレノイドを設けることである。
【００１４】
前記ソレノイドは励磁によって前記打上口に向かって直線的に出没移動するプランジャと、該プランジャの先端側に配置され遊技球保持部によって保持されている遊技球に衝突させるプッシュロッドを備えたことを特徴とする。
【００１５】
また、遊技球を遊技盤に設けられた外、内レール間である通過領域を経て遊技盤上に導き、遊技球が外、内レール内部の遊技領域を風車、障害釘で流下路を変更されながら上から下へ落下する間に、遊技球が入れば賞球を払い出す入賞口等の遊技部品を備えるパチンコ機において、前記遊技領域中央且つ内レール近傍の位置で、該内レールに背面壁を向けて固着されるケーシングを少なくとも１個配設し、該ケーシングに入球口と打上口をそれぞれ一つ設けるとともに、前記入球口のケーシング内部に該入球口に連なる球通路及び球通路の最下流部近傍の位置で打上口の内側に遊技球保持部を配設し、遊技球保持部に保持される遊技球をセンサーを通過させた後に上記打上口から遊技領域の上方若しくは中央部上方に向かって打ち出すため、打上口に向かってプランジャを励磁によって直線的に出没移動させ、該プランジャの先端側に配置されるプッシュロッドを前記遊技球保持部によって保持されている遊技球に衝突させるソレノイドを設ける遊技球打上装置を配設することを特徴とするパチンコ機である。
【００１６】
「遊技領域中央且つ内レール近傍の位置」とは、打上装置が遊技領域の中央且つ両サイド近傍に配設されることで、「内レールに背面壁を向けて固着されるケーシング」とは打上装置の入球口と打上口が遊技領域の上方若しくは内側に向かって配置されていることである。そして、「ケーシングを少なくとも１個配設し」とは遊技領域に打上装置を１個以上配設することで、２個またはそれ以上であってもよい。「ケーシングに入球口と打上口をそれぞれ一つ設ける」とは、本打上装置は入球口から遊技球がケーシング内に入り球通路で打上口の下方に配置される保持壁まで運ばれ、打上口から遊技領域に再び打ち上げられることである。
【００１７】
また、遊技球打上装置のケーシングは内レールに背面壁を向けて固着される。好ましくは、背面壁が内レールに接するか極めて近傍の位置に配置されるのがよい。「打上装置のケーシングを構成する背面壁が該内レールに接するか極めて近傍の位置に配置される」とは、遊技球打上装置が遊技領域の中央部で最も遊技領域の端部に配置されることである。
【００１８】
【発明の実施の形態】
本発明の遊技球打上装置をサイドランプ内に設けた実施の形態につき、図面２〜図４を参照して詳細に説明する。図２は本発明の遊技球打上装置の平面図、図３は入球口、打上口の位置を変更した本発明の打上装置の平面図、図４は本発明の遊技球打上装置をサイドランプ内に設けたパチンコ機の正面図である。
【００１９】
図２において１９はサイドランプであり、パチンコ機１のゲームの進行により点灯される複数のＬＥＤを備えた上カバー（いずれも図示せず）を外した状態を示している。上記上カバーの下方に遊技球打上装置２１が配設される。遊技球打上装置２１は、内レール３に近接して配置される背面壁２５ｄと背面壁２５ｄに平行で遊技領域６に面して配置される上部側壁２５ａと下部側壁２５ｂの二つの側壁が遊技球の直径よりやや長い間隔を有して配置され、上記背面壁２５ｄ、上部側壁２５ａ、下部側壁２５ｂの下に底壁２５ｅを配置し、これら各壁及び上カバーによって遊技球打上装置２１のケーシング２５が構成される。そして、前記上部側壁２５ａと下部側壁２５ｂとの間隔部分が遊技球打上装置２１の入球口２２であり、上部側壁２５ａと背面壁２５ｄのそれぞれ上方端部が打上口２３を構成する。なお、下部側壁２５ｂは下方部分で湾曲させ、その下端部を背面壁２５ｄの下端部に接する。
【００２０】
入球口２２の下端部で下部側壁２５ｂの上端部に緩やかにケーシング２５の内側下方に傾斜した側壁２５ｃと背面壁２５ｄからケーシング２５の内側下方に傾斜した側壁２５ｃ’を設ける。側壁２５ｃ，２５ｃ’にコ型に曲がった遊技球保持壁２８，２８’をそれぞれ設け、遊技球保持壁２８，２８’にセンサー２９を嵌挿固定する。入球口２２に続いて設けられる側壁壁２５ｃは球通路２６を形成し、遊技領域６を落下して入球口２２から入った遊技球は該球通路２６を経て遊技球保持部としての一対の遊技球保持壁２８，２８’に嵌挿保持されるセンサー２９内に至りケーシング内に入ったことを感知される。
【００２１】
下部側壁２５ｂ、背面壁２５ｄに囲まれた箇所で遊技球保持壁２８，２８’下方の位置において、底壁２５ｅにブロック３３を設けてソレノイド３０を該ブロック３３内に固定する。ソレノイド３０は励磁によって打上口２３に向かって直線的に出没移動するプランジャに固着されたプッシュロッド３１の先端に当接片３２が取り付けられた構成であり、励磁されるとプッシュロッド３１が移動し、プッシュロッド３１の先端部に配置された当接片３３が遊技球保持壁２８，２８’内に嵌挿固定されるセンサー２９内に保持される遊技球を打撃する。
【００２２】
打上口２３には該打上口２３を塞ぐ薄い金属製（ステンレス製）のプレート２４が配置される。該プレート２４は基端部２４ａが上部側壁２５ａの溝に嵌入固定され、上部側壁２５ａの端面に沿って配置される。したがって、プレート２４は遊技球打上装置２１の内側から外側に移行可能で、上方から落下してくる遊技球の打上口２３への入口を阻止する。
【００２３】
遊技球保持壁２８，２８’に嵌挿固定されたセンサー２９内に保持され、プッシュロッド３１の先端部に配置された当接片３３によって打撃された遊技球は、背面壁２５ｄ、上部側壁２５ａ、底壁２５ｅ及び上カバーで囲繞される打上路２７を通過し、上記プレート２４を上方に押し上げて、打上口２３から遊技領域６内に再び打ち上げられる。該打上路２７は内レール３と平行であり、遊技球は内レール３に沿って遊技領域６の上方に至る。打ち上げられた遊技球は発射装置で打ち出された遊技球のごとく遊技領域６の上方から再び落下する。
【００２４】
次に、図３を用いてケーシング２５において入球口２２と打上口２３の位置を変更した遊技球打上装置２１について説明する。図３においても遊技球打上装置２１をサイドランプ１９内に設けた実施例を示し、ゲームの進行に合わせて点灯されるＬＥＤ等を備えた上カバー（図示せず）を外した状態を示している。サイドランプ１９は上カバーの外側端部が内レール３に接して配置されるため、ケーシング２５を構成する背面壁２５ｄを内レール３に極めて近づけて配置される。そして、上部側壁２５ａはその上端部を背面壁２５ｄから遊技球の直径より略１．５倍の間隔を有して遊技領域６側に配置され、下方に向かって緩やかに右方に湾曲してその下端部は上端部より遊技球１個分遊技領域６内に入った位置に配置される。上部側壁２５ａの下端部の真下で遊技球の直径より僅かに長い間隔を有する位置に下部側壁２５ｂの上端部が配置される。下部側壁２５ｂは底壁２５ｅに沿って遊技球打上装置２１の下方部分を囲繞するように配置され、その下端部は背面壁２５ｄの下端部と繋がっている。
【００２２】
背面壁２５ｄと上部側壁２５ａの間で、該背面壁２５ｄと上部側壁２５ａの上端部と同じ位置から遊技球打上装置２１の下方に向かって左右一対の側壁２５ｃ，２５ｃ’を配設する。側壁２５ｃ，２５ｃ’は遊技球の直径より僅かに長い間隔を有して配設され、側壁２５ｃ，２５ｃ’底壁２５ｅで入球路２６を構成し、それぞれの側壁２５ｃ，２５ｃ’の上端部が入球口２２を構成する。そして側壁２５ｃの下端部と上部側壁２５ａの下端部を側壁２５ｈで繋ぐ。また、側壁２５ｃ’の下端部に左方に傾斜する遊技球保持壁２８’を繋ぐ。側壁２５ｈと該遊技球保持壁２８’は一直線上に配置される。遊技球保持壁２８’と遊技球の直径より僅かに長い間隔を有し、該遊技球保持壁２８’と平行に遊技球保持壁２８を配置する。下部側壁２５ｂの上端部に繋がる側壁２５ｊを側壁２５ｈと平行で、前記遊技球保持壁２８と一直線上の位置に配置し、側壁２５ｊの下端部に繋いだ側壁２５ｆと遊技球保持壁２８の上端部に繋いだ側壁２５ｇ間にセンサー２９を嵌挿固定する。上部側壁２５ａと下部側壁２５ｂ間で打上口２３が構成され、上記側壁２５ｈ、側壁２５ｊ、遊技球保持壁２８，２８’が打上路２７を構成する。
【００２３】
遊技球保持壁２８，２８’の左下方の位置で底壁２５ｅ上にソレノイド３０を配置する。ソレノイド３０は該底壁２５ｅに設けられたブロック３３内に固定される。ソレノイド３０が励磁されると図示しないプランジャが移動し、プランジャに固定されたプッシュロッド３１が遊技球保持壁２８，２８’の間を移行して、プッシュロッド３１の先端部に固着した当接片３２が遊技球に衝突する。
【００２４】
遊技球が遊技球打上装置２１の入球口２２に入ると、球通路２６を通過してセンサー２９が配置される箇所に落下し、ケーシング内への入球が感知される。その後遊技球は流下して遊技球保持壁２８，２８’間で保持される。センサー２９からの信号でソレノイド３０が励磁されてプッシュロッド３１が移動し、プッシュロッドの先端に固定される当接片３２が、遊技球保持壁２８，２８’で保持されている遊技球に衝突する。遊技球は遊技球保持壁２８，２８’、側壁２５ｈ、側壁２５ｊ及び底壁２５ｅで構成される打上路２７を通過し、打上口２３から遊技領域６の中央且つ上方へ再び打ち上げられる。打ち上げられた遊技球は遊技領域６の中央部から再び落下を始める。
【００２５】
図４においては上記に説明した入球口２２と打上口２３の位置が異なる二つのタイプの遊技球打上装置２１を、それぞれ遊技領域６の左右に配置されるサイドランプ１９内に配置したが、同じタイプの遊技球打上装置２１を左右に配置してもよいし、遊技球打上装置２１を遊技領域６の左右いずれか一方に配置するようにしてもよい。また、上記はいずれもサイドランプ１９内に遊技球打上装置２１を配設したが、遊技球打上装置２１を内レール３から有る程度離して配設してもよい。
【００２６】
【発明の効果】
本発明においては上記のように構成したので、遊技球が発射されるときの弾発力の差、釘や風車によって入賞には全く関係のない遊技領域の内レール近傍を落下する場合でも、遊技球打上装置のケーシングに入れば、遊技球が遊技領域の中央上方近傍の位置や内レールに沿って遊技領域の上方に再び打ち上げられるので、従来はアウト口から排出されるのみであった遊技球に再び入賞等の可能性が生ずる。従って遊技者は興趣をもってゲームを行うことができる。
【図面の簡単な説明】
【図１】
パチンコ機の正面図である。
【図２】
本発明の遊技球打上装置の平面図である。
【図３】
入球口、打上口の位置を変更した本発明の打上装置の平面図である。
【図４】
本発明の遊技球打上装置をサイドランプ内に設けたパチンコ機の正面図である。
【符号の説明】
１          パチンコ機
２          遊技盤
３          外レール
４          内レール
５          通過領域
６          遊技領域
７          センターケース
８          特別図柄表示装置
９          普通図柄表示装置
１０        ランプ付き風車
１１        風車
１２        始動口
１３        チャッカー
１４        入賞口
１５        アタッカー
１５ａ      取付板
１６        大入賞口
１７        入賞口
１８        アウト口
１９        サイドランプ
１９ａ      側壁
２０        釘
２１        遊技球打上装置
２２        入球口
２３        打上口
２４        プレート
２５        ケーシング
２５ａ      上部側壁
２５ｂ      下部側壁
２５ｃ      側壁
２５ｄ      背面壁
２５ｅ      底壁
２５ｆ，２５ｇ，２５ｈ，２５ｊ      側壁
２６        球通路
２７        打上路
２８        遊技球保持壁（遊技球保持部）
２９        センサー
３０        ソレノイド
３１        プッシュロッド
３２        当接片
３３        ブロック